(57)【要約】【課題】車室内の天井壁面を形成するとともに、車両外側端部が前部センターピラートリム１５の上端部に設けられた凹部１８に挿入支持されるルーフトリム１３と該ルーフトリム１３よりも車両外側のルーフインナーパネル１２との間に収容されたカーテン部材２を、車両の横転時や側突時に、車室内に膨張展開させて該車室内の乗員を保護するカーテンエアバッグ装置１において、上記カーテン部材２の膨張展開時に、ルーフトリム１３の車両外側端部１３ｂが上記挿入凹部１８の車室側側面１８ａを構成する前部センターピラートリム１５を乗り越えて車室側に変位する際に、該前部センターピラートリム１５が破損して車室内に飛散するの防止して該車室内の乗員を保護する。【解決手段】挿入凹部１８内に、挿入凹部１８の車室側側面１８ａと車両外側側面１８ｂとを接続するリブ１９を設けるようにする。【選択図】図２
2008018837.tif 000002
【特許請求の範囲】
【請求項１】
車両のウィンドを覆うようにカーテン部材を展開させるカーテンエアバッグ装置であって、
上記車両のピラートリムの上端部近傍において該ピラートリムよりも車両外側に設けられ、上記カーテン部材の展開時に、該カーテン部材が車室内に展開するようにガイドするガイド部材と、
上記ピラートリムの上端部に上側が開放するように形成され、上記カーテン部材の展開前にはルーフトリムの車両外側端部が挿入される挿入凹部とを備え、
上記ルーフトリムは、上記ピラートリムよりも軟質の部材からなっていて、車室内の天井壁面を形成するとともに車両外側端部において該天井壁面から下側に向かって延びて、上記ピラートリムと共に上記展開前のカーテン部材の車室側を覆うように構成され、
上記カーテン部材は、上記展開時には、上記ガイド部材に沿って膨張しながら上記ルーフトリムの車両外側の面を車室側に向かって押圧することにより、上記ルーフトリムの車両外側端部が、上記ピラートリムの挿入凹部における車室側の側面を構成する車室側側壁部を乗り越えて車室側に変位するように車室内に向かって膨張展開するように構成されており、
上記ピラートリムの挿入凹部には、上記車室側側壁部と該挿入凹部の車両外側の側面を構成する車両外側側壁部とを互いに接続する接続部が設けられていることを特徴とするカーテンエアバッグ装置。
【請求項２】
請求項１記載のカーテンエアバッグ装置において、
上記接続部の車室側端は、上記車室側側壁部の少なくとも上端部に接続されていることを特徴とするカーテンエアバッグ装置。
【請求項３】
請求項１又は２記載のカーテンエアバッグ装置において、
上記ガイド部材の上端面及び上記接続部の上端面は共に、車両外側から車室側に向かって下側に傾斜していることを特徴とするカーテンエアバッグ装置。
【請求項４】
請求項１乃至３のいずれか一項に記載のカーテンエアバッグ装置において、
上記接続部は、上記挿入凹部における車両前後方向の一部に設けられ、
上記ルーフトリムの車両外側端部の下端縁は、上記接続部の上端面よりも下側に位置しており、
上記ルーフトリムの車両外側端部における上記接続部に対応する部分には、該車両外側端部及び接続部が互いに干渉しないように上側に切欠かれた切欠部が設けられていることを特徴とするカーテンエアバッグ装置。
【発明の詳細な説明】
【技術分野】
【０００１】
本発明は、車両のウィンドを覆うようにカーテン部材を展開させるカーテンエアバッグ装置に関する技術分野に属する。
【背景技術】
【０００２】
従来より、車両の側突時や横転時に、該車両のウィンドを覆うようにエアバッグ袋体（カーテン部材）を膨張展開させるカーテンエアバッグ装置は知られている（例えば、特許文献１参照）。
【０００３】
このようなカーテンエアバッグ装置では、エアバッグ袋体は、車両のレールインナパネル（ルーフインナパネル）及びルーフヘッドライニング（ルーフトリム）間に収容されている。また、エアバッグ袋体の下方には、膨張展開時に、該エアバッグ袋体を車室内に案内するためのジャンプ台（ガイド部材）が設けられている。
【０００４】
ジャンプ台は、車両外側から車室側に向かって下側に傾斜する傾斜面を有していて、センターピラーガーニッシュ（ピラートリム）の上端部近傍に、該センターピラーガーニッシュと一体で配設されている。ジャンプ台及びセンターピラーガーニッシュ間には、ルーフヘッドライニングの車両外側端部を挿入して保持しておくための挿入凹部が形成されている。ここで、センターピラーガーニッシュ及びルーフヘッドラインイングは共に、可撓性を有する樹脂材からなる。
【０００５】
そして、上記エアバッグ袋体は、膨張展開時には、上記ジャンプ台に沿って膨張しながらルーフヘッドライニングの車両外側の面を車室側に向かって押圧することにより、ルーフヘッドライニングの車両外側端部が、上記挿入凹部の車室側の側面を構成するセンターピラーガーニッシュ（車室側側壁部）を乗り越えて車室側に変位するように該ルーフヘッドライニングを変形させる。そして、上記ルーフヘッドライニングの車両外側端部と上記センターピラーガーニッシュとの間に形成された隙間から車室内に向かって膨張展開する。
【特許文献１】特開平１１−０９１４９０号公報
【発明の開示】
【発明が解決しようとする課題】
【０００６】
しかしながら、上述の特許文献１に示すようなカーテンエアバッグ装置では、カーテン部材の膨張展開時（以下、カーテン膨張展開時と呼ぶ）に、ルーフトリムの車両外側端部が上記車室側側壁部を乗り越える際に、該車室側側壁部が車室側に向かって押圧されることにより破損して車両室内に飛散する可能性がある。
【０００７】
また、カーテン膨張展開時にカーテン部材が上記挿入凹部に引っ掛かる等して、該カーテン部材の車室内への膨張展開が妨げられる場合がある。従って車室内の乗員を確実に保護するためにも改良の余地がある。
【０００８】
本発明は、斯かる点に鑑みてなされたものであり、その目的とするところは、カーテン膨張展開時に、カーテン部材を車室内に確実にガイドするとともに、カーテン部材の車両外側端部が上記挿入凹部の車室側側面を構成する車室側側壁部を乗り越える際に、該車室側側壁部が破損して車室内に飛散するのを防止することで、車室内の乗員をより一層確実に保護しようとすることにある。
【課題を解決するための手段】
【０００９】
上記の目的を達成するために、この発明では、カーテン膨張展開時に、カーテン部材が車室内に展開するようにガイドするガイド部材と、車両のピラートリムの上端部に上側が開放するように形成され、上記カーテン部材の展開前にはルーフトリムの車両外側端部が挿入される挿入凹部とを備え、該挿入凹部内に、挿入凹部の車室側の側面を構成する車室側側壁部と該挿入凹部の車両外側の側面を構成する車両外側側壁部とを接続する接続部を設けるようにした。
【００１０】
具体的には、請求項１の発明では、車両のウィンドを覆うようにカーテン部材を展開させるカーテンエアバッグ装置を対象とする。
【００１１】
そして、上記車両のピラートリムの上端部近傍において該ピラートリムよりも車両外側に設けられ、上記カーテン部材の展開時に、該カーテン部材が車室内に展開するようにガイドするガイド部材と、上記ピラートリムの上端部に上側が開放するように形成され、上記カーテン部材の展開前にはルーフトリムの車両外側端部が挿入される挿入凹部とを備え、上記ルーフトリムは、上記ピラートリムよりも軟質の部材からなっていて、車室内の天井壁面を形成するとともに車両外側端部において該天井壁面から下側に向かって延びて、上記ピラートリムと共に上記展開前のカーテン部材の車室側を覆うように構成され、上記カーテン部材は、上記展開時には、上記ガイド部材に沿って膨張しながら上記ルーフトリムの車両外側の面を車室側に向かって押圧することにより、上記ルーフトリムの車両外側端部が、上記ピラートリムの挿入凹部における車室側の側面を構成する車室側側壁部を乗り越えて車室側に変位するように車室内に向かって膨張展開するように構成されており、上記ピラートリムの挿入凹部には、上記車室側側壁部と該挿入凹部の車両外側の側面を構成する車両外側側壁部とを互いに接続する接続部が設けられているものとする。
【００１２】
この構成により、カーテン膨張展開時に、ルーフトリムの車両外側端部が上記車室側側壁部を乗り越える際、該車室側側壁部が、車室側に押圧されることにより破損して車室内に飛散するのを防止することができる。すなわち、上記車室側側壁部及び車両外側側壁部間に設けられた接続部が補強材としての役割を果たす結果、該車室側側壁部の破損を防止することができる。具体的には、上記接続部を設けない場合、車室側側壁部に対して作用する押圧力を該車室側側壁部のみで受け止めることとなるが、上記接続部を設けることにより車室側側壁部及び接続部の両方で該押圧力を受け止めることができる。このため、カーテン膨張展開時に車室側側壁部に生じる内部応力を上記接続部が無い場合に比べて低下させるがことでき、従って車室側側壁部の破損を確実に防止することが可能となる。
【００１３】
また、挿入凹部内に接続部を設けたことにより、カーテン膨張展開時に、カーテン部材が挿入凹部内に侵入しにくくなる結果、カーテン部材が挿入凹部に引っ掛かるのを防止することができる。従って、カーテン部材を車室内に確実に膨張展開させて、車室内の乗員を確実に保護することが可能となる。
【００１４】
請求項２の発明では、請求項１記載のカーテンエアバッグ装置において、上記接続部の車室側端は、上記車室側側壁部の少なくとも上端部に接続されているものとする。
【００１５】
これにより、カーテン膨張展開時における上記車室側側壁部の破損をより一層確実に防止することができる。すなわち、カーテン膨張展開時には、ルーフトリムの車両外側端部は、車室側側壁部の上端部を押圧しながら車室側へと変位しようとする。従って、該車室側側壁部の少なくとも上端部に接続部を設けることで、車室側側壁部に作用する押圧力を該接続部によって効率良く確実に受け止めることができる。その結果、カーテン膨張展開時に車室側側壁部に生じる内部応力をより一層確実に低下させて、該車室側側壁部の破損をより一層効果的に防止することが可能となる。  
【００１６】
また、車室側側壁部及び接続部間の段差を、上記接続部の車室側端が車室側側壁部の下端部に接続されれいる場合に比べて小さくすることができ、従ってカーテン膨張展開時に、カーテン部材が該段差に引っ掛かるのを防止して、カーテン部材を車室内に確実に膨張展開させることが可能となる。
【００１７】
請求項３の発明では、請求項１又は２記載のカーテンエアバッグ装置において、上記ガイド部材の上端面及び上記接続部の上端面は共に、車両外側から車室側に向かって下側に傾斜しているものとする。
【００１８】
これにより、カーテン膨張展開時にカーテン部材をガイド部材の上端面に沿って膨張させた後、更に上記接続部の上端面に沿って膨張させて車室内に確実にガイドすることができる。
【００１９】
請求項４の発明では、請求項１乃至３のいずれか一項に記載のカーテンエアバッグ装置において、上記接続部は、上記挿入凹部における車両前後方向の一部に設けられ、上記ルーフトリムの車両外側端部の下端縁は、上記接続部の上端面よりも下側に位置しており、上記ルーフトリムの車両外側端部における上記接続部に対応する部分には、該車両外側端部及び接続部が互いに干渉しないように上側に切欠かれた切欠部が設けられているものとする。
【００２０】
これにより、カーテン膨張展開時にルーフトリムの車両外側端部を、切欠部が無い場合に比べて容易に車室側へと変位させることができる。すなわち、ルーフトリムの車両外側端部を、上側に切欠くことで分割して互いに独立に変位可能な複数の分割部によって構成することができ、従ってカーテン膨張展開時には、各分割部それぞれが車室側側壁部を乗り越えて車室側に変位する結果、ルーフトリムの車両外側端部を、一枚物で構成し且つ挿入凹部の深部まで挿入した場合（切欠部が無い場合）に比べて容易に車室側に変位させることができる。この結果、ルーフトリムの車両外側端部が車室側側壁部を乗り越える際に、該車室側側壁部に作用する押圧力を、上記切欠部が無い場合に比べて低下させることができる。よって、カーテン膨張展開時における車室側側壁部の破損をより一層確実に防止することが可能となる。
【００２１】
また、ルーフトリム及び接続部同士の干渉を防止して、該ルーフトリムを挿入凹部に確実に挿入することができる。従って、ルーフトリムを車室内から見たときにその見栄えを損ねることもない。
【発明の効果】
【００２２】
以上説明したように、本発明のカーテンエアバッグ装置によると、カーテン膨張展開時に、該カーテン部材が車室内に展開するようにガイドするガイド部材と、車両のピラートリムの上端部に上側が開放するように形成され、カーテン部材の展開前にはルーフトリムの車両外側端部が挿入される挿入凹部とを備え、該挿入凹部内に、挿入凹部の車室側の側面を構成する車室側側壁部と該挿入凹部の車両外側の側面を構成する車両外側側壁部とを接続する接続部を設けるようにしたことにより、カーテン膨張展開時に、カーテン部材の車両外側端部が上記車室側側壁部を乗り越える際に、該車室側側壁部が破損して車室内に飛散するのを防止することができる。従って、飛散した車室側壁により車室内の乗員が傷付くこともない。また、上記凹部内に接続部を設けたことにより、カーテン膨張展開時に、カーテン部材が挿入凹部内に侵入しにくくなる結果、カーテン部材が挿入凹部に引っ掛かるのを防止することができる。従って、カーテン部材を車室内に確実に膨張展開させて、車室内の乗員を保護することが可能となる。
【発明を実施するための最良の形態】
【００２３】
以下、本発明の実施形態を図面に基づいて詳細に説明する。
【００２４】
図１は、本発明の実施形態に係るカーテンエアバッグ装置１を車室側から見た図である。このカーテンエアバッグ装置１は、ワゴン型車両１００の右側サイドボディに配設されていて、車両１００の側突時や横転時等に図示の如くカーテン部材２を車両１００のウィンド８〜１０を覆うように膨張展開させて乗員Ｍ１〜Ｍ３を保護するものである。尚、図示しないが、このカーテンエアバッグ装置１は車両１００の左側サイドボディにも同様に配設されている。
【００２５】
車両１００の右サイドボディには、車両前側（図の左側）から順に、図外のボンネットに連なるフロントピラー３（Ａピラー）と、前部センターピラー４（Ｂピラー）と、後部センターピラー５（Ｃピラー）と、クォータピラー６（Ｄピラー）とが配設され、該フロントピラー３、前部センターピラー４、後部センターピラー５、及びクォータピラー６の各上端部を繋ぐように、車両前後方向に延びるルーフサイドレール７が架設されている。上記フロントピラー３及び前部センターピラー４間（運転席２９の横）にはフロントウィンド８が設けられており、同様に、前部センターピラー４及び後部センターピラー５間（後部の前列席３０の横）にはリヤウィンド９が、また、後部センターピラー５及びクォータピラー６間（後部の後列席３１の横）にはクォータウィンド１０がそれぞれ配置されている。また、クォータピラー６の上部にはインフレータ２１が設けられている。
【００２６】
そして、上記カーテン部材２は、膨張展開前においてはフロントピラー３からルーフサイドレール７を経てクォータピラー６に至る範囲に設けられたカーテンケース１１に折り畳んで収容されている。該カーテン部材２は、フロントウィンド８の前端部において上下に延びる膨張部２４と、リヤーウィンド９の後端部において上下に延びて後列席の乗員Ｍ３の頭部を保護するようにそのシートバックの横に配置された膨張部２５、並びに運転席２９及び後部の前列席３０の乗員Ｍ１，Ｍ２の頭部を保護するようにこの両席それぞれのシートバックの横に設けられた上下に延びる２つの中央膨張部２６，２６とを備えている。これらの膨張部２４〜２６は、カーテン部材上部を車両前後方向に延びる上部膨張部２７に連通していて、換言すれば、該上部膨張部２７より分岐してそれぞれ下方に延びている。そして、カーテン部材２は上記各ウィンド８〜１０の全体を覆うように膨張展開する。
【００２７】
上記インフレータ２１は、車両１００が所定の状態になったときに作動してガスを発生させるとともに、カーテン部材２にガスを供給するものであって、カーテン部材２の上部膨張部２７に樹脂製のホース２８を介して繋がっている。ここで、所定の状態とは、例えば車両１００の衝突が予知されたとき、該車両１００の衝突が検出されたとき、又は該車両１００の横転が判定されたときであり、当該車両１００には、それらの状態を検知するための衝突検知センサ（図示略）と、該衝突検知センサの出力を受けてそれら状態の発生を判定し、インフレータ２１を作動させるコントローラ（図示略）が設けられている。具体的には、コントローラは衝突検知センサからの情報を基に、例えば車速、ロール角、ロール角速度、横Ｇ等を算出して車両１００の状態を判定している。尚、以下の説明において、インフレータ２１が作動してカーテン部材２が膨張展開するときをカーテン膨張展開時と呼び、カーテン部材２が膨張展開する前の状態をカーテン膨張展開前と呼ぶ。
【００２８】
図２に示すように、上記ルーフサイドレール７は、図示しないルーフアウタパネルと、ルーフアウタパネルよりも車室側のルーフインナパネル１２とを備えている。そして、カーテン膨張展開前のカーテン部材２は、蛇腹状に折り畳まれてカーテンケース１１によりラッピングされた状態で、ルーフインナパネル１２とルーフトリム１３との間に収容されている。また、上記各ピラー３〜６（図１参照）の車室側には、ポリプロピレンからなるピラートリム（図２には、前部センターピラー４の車室側を覆う前部センターピラートリム１５のみを示す）がそれぞれ配設されいる。
【００２９】
上記ルーフトリム１３は、車室内の天井壁面を形成するとともに車両外側端部において該天井壁面から下側に向かって延びて、前部センターピラートリム１５と共に、上記カーテン膨張展開前の折り畳まれたカーテン部材２の車室側を覆うように配設されている。ここで、ルーフトリム１３は発泡性ウレタンにより構成されている。尚、各ピラー３〜６は全て同様の構成とされており、以下の説明においては前部センターピラー４の構成について説明する。
【００３０】
前部センターピラートリム１５の上端部近傍には、カーテン膨張展開時に、カーテン部材２が車室内に展開するようにガイドするジャンプ台１４（ガイド部材に相当）が設けられている。ジャンプ台１４は、前部センターピラートリム１５に対して車両外側に配設されていて、断面略Ｌ字状のジャンプ台連結部１６を介して、該前部センターピラートリム１５と一体形成されている。ジャンプ台１４の上端面１４ａ（以下、ジャンプ台上端面１４ａと呼ぶ）は、前部センターピラートリム１５の上端縁よりも上側にあって、車両外側から車室側に向かって下側に傾斜するように形成されている。また、ジャンプ台上端面１４ａを延長した部分に前部センターピラートリム１５の上端縁が位置している。
【００３１】
上記ジャンプ台連結部１６は、ジャンプ台１４の車室側端部から下側に向かって延びる垂直部１６ｂと、該垂直部１６ｂの下端部から車室側に向かって略水平に延びて前部センターピラートリム１５に連設される水平部１６ａとからなる。垂直部１６ｂとジャンプ台１４との間には、ジャンプ台１４の上下方向の剛性を高めるためのジャンプ台補強用リブ１７が設けられている。これにより、カーテン部材２がジャンプ台上端面１４ａに沿って膨張する際に、該ジャンプ台１４が下側に折れ曲がったり破断したりするのを防止することができる。従って、カーテン部材２を車室内に確実にガイドして膨張展開させることができる。
【００３２】
前部センターピラートリム１５の上端部には、上側に開放してカーテン膨張展開前はルーフトリム１３の車両外側端部１３ｂが挿入される挿入凹部１８が設けられている。具体的には、挿入凹部１８は断面略台形状で車両前後方向に延びる有底の凹部とされている。そして、前部センターピラートリム１５の上端部が挿入凹部１８の車室側の側面１８ａ（以下、車室側側面１８ａと呼ぶ）を構成し、ジャンプ台連結部１６の垂直部１６ｂが挿入凹部１８の車両外側の側面１８ｂ（以下、車両外側側面１８ｂと呼ぶ）を構成し、またジャンプ台連結部１６の水平部１６ａは挿入凹部１８の底面を構成している。ここで、前部センターピラートリム１５が車室側側壁部に相当し、ジャンプ台連結部１６の垂直部１６ｂが車両外側側壁部に相当する。
【００３３】
挿入凹部１８内には、前部センターピラートリム１５と上記ジャンプ台連結部１６の垂直部１６ｂとを互いに接続する接続部としての三つのリブ１９が設けられている（図３参照）。言い換えると、挿入凹部１８の車室側側面１８ａと車両外側側面１８ｂとは三つのリブ１９により互いに連結されている。各リブ１９は、所定の厚みを有する板状部材からなっていて、車両前後方向に互いに所定の間隔を空けて配設されている。
【００３４】
各リブ１９の車室側端面１９ａは、挿入凹部１８の車室側側面１８ａの上端部を含む部分に接続されている。具体的には、各リブ１９の車室側端面１９ａは、上記挿入凹部１８の車室側側面１８ａにおける上端縁１８ｄよりも若干下側から下端縁に亘る範囲に接続されている。
【００３５】
また、各リブ１９の車両外側端面１９ｂは、挿入凹部１８の車両外側側面１８ｂの上端縁１８ｃ（図３参照）から下端縁に亘る範囲に接続されている。すなわち、各リブ１９の上端面１９ｃ（以下、リブ上端面１９ｃと呼ぶ）における車両外側端縁はジャンプ台上端面１４ａの車室側端縁に一致している。言い換えると、ジャンプ台上端面１４ａとリブ上端面１９ｃとの間には段差が形成されておらず、ジャンプ台上端面１４ａ及びリブ上端面１９ｃ同士は連続的に繋がっている。そして、リブ上端面１９ｃは車両外側から車室側に向かって下側に傾斜するように形成されている。ここで、リブ上端面１９ｃは、ジャンプ台上端面１４ａよりも大きい角度で傾斜している。
【００３６】
一方、上記ルーフトリム１３の車両外側端部１３ｂの下端縁１３ｄは、図３に示すように、リブ上端面１９ｃよりも下側に位置しており、ルーフトリム１３の車両外側端部１３ｂにおける各リブ１９に対応する部分には、該車両外側端部１３ｂと各リブ１９とが互いに干渉しないように上側に切欠かれた切欠部１３ｃがそれぞれ設けられている。ここで、切欠部１３ｃの上端縁は、前部センターピラートリム１５の上端縁よりも下側に位置している。尚、ルーフトリム１３の車両外側端部１３ｂのうち、前部センターピラートリム１５の上端部に設けられた挿入凹部１８に挿入された部分以外の部分は、ルーフサイドレール７の下端部に嵌着されたウェザーストリップ２０により支持されている。
【００３７】
一方、カーテン部材２は、ジャンプ台上端面１４ａに対して直交する方向に折り畳まれて、カーテンケース１１によりラッピングされた状態でルーフインナパネル１２に取付固定されている。
【００３８】
具体的には、ルーフサイドレール７のルーフインナパネル１２には、複数の取付孔１２ｆが、前端部から後端部に亘って略一定の間隔を空けて形成されており、上記カーテン部材２は、該取付孔１２ｆを利用してボルト２２及びナット２３により該ルーフインナパネル１２に取付固定されている。尚、カーテン部材２のルーフインナパネル１２への取付固定については、ボルト２２に限らずクリップを使用する等してもよい。
【００３９】
そして、上述のように、車両１００の側突や横転によりインフレータ２１が作動してカーテン部材２にガスが供給されると、その膨張展開力によりカーテンケース１１が破れて、カーテン部材２がジャンプ台上端面１４ａに沿って車室側に向かって膨張し始める。
【００４０】
更にカーテン部材２は、リブ上端面１９ｃに沿って膨張しながらルーフトリム１３の車両外側面１３ａをその膨張展開力により車室側に向かって押圧することにより、ルーフトリム１３の車両外側端部１３ｂが、上記挿入凹部１８の車室側側面１８ａを構成する前部センターピラートリム１５を乗り越えて車室側に変位するようにルーフトリム１３を変形させる。
【００４１】
そして、カーテン部材２は、ルーフトリム１３の車両外側端部１３ｂと前部センターピラートリム１５との間に形成された隙間から車室内に向かって膨張展開する。車室内に膨張展開したカーテン部材２は、上述のように、各ウィンド８〜１０（図１参照）の全体を覆って乗員Ｍ１〜Ｍ３が該各ウィンド８〜１０から車両外へと投げ出されるのを防止するとともに、衝撃吸収材の役割を果たして乗員Ｍ１〜Ｍ３を保護する。
【００４２】
以上の如く上記実施形態では、前部センターピラートリム１５の上端部には、上側に開放してカーテン膨張展開前はルーフトリム１３の車両外側端部１３ｂが挿入される挿入凹部１８が設けられており、挿入凹部１８内には、前部センターピラートリム１５と上記ジャンプ台連結部１６の垂直部１６ｂとを接続する三つのリブ１９が設けられている。
【００４３】
これにより、カーテン膨張展開時に、ルーフトリム１３の車両外側端部１３ｂが、挿入凹部１８の車室側側面１８ａを構成する前部センターピラートリム１５ｃを乗り越える際に、該前部センターピラートリム１５が、車室側に押圧されることにより破損して車室内に飛散するのを防止することができる。すなわち、挿入凹部１８内に設けられた三つのリブ１９が補強材としての役割を果たす結果、前部センターピラートリム１５の破損を防止することができる。具体的には、リブ１９を設けない場合、前部センターピラートリム１５に対して作用する押圧力を該前部センターピラートリム１５のみで受け止めることとなるが、リブ１９を設けることにより前部センターピラートリム１５及びリブ１９の両方で該押圧力を受け止めることができる。このため、カーテン膨張展開時に前部センターピラートリム１５に生じる内部応力をリブ１９が無い場合に比べて低下させることができ、従って前部センターピラートリム１５の破損を確実に防止することが可能となる。
【００４４】
また、挿入凹部１８内にリブ１９を設けたことにより、カーテン膨張展開時に、カーテン部材２が挿入凹部１８内に侵入しにくくなる結果、カーテン部材２が挿入凹部に引っ掛かるのを防止することができる。従って、カーテン部材２を車室内に確実に膨張展開させて、該車室内の乗員Ｍ１〜Ｍ３を保護することが可能となる。
【００４５】
また、上記実施形態では、各リブ１９の車室側端面１９ａは、挿入凹部１８の車室側側面１８ａの上端部を含む部分に接続されている。これにより、カーテン膨張展開時における、前部センターピラートリム１５の破損をより一層確実に防止することができる。すなわち、カーテン膨張展開時には、ルーフトリム１３の車両外側端部１３ｂは、上記車室側側面１８ａの上端部（前部センターピラートリム１５の上端部）を押圧しながら車室側へと変位しようとする。従って、該車室側側面１８ａの少なくとも上端部に、各リブ１９の車室側端面１９ａを接続することで、前部センターピラートリム１５に作用する押圧力を該各リブ１９によって効率良く確実に受け止めることができる。これにより、カーテン膨張展開時に、前部センターピラートリム１５に生じる内部応力をより一層確実に低下させて該前部センターピラートリム１５の破損を防止することが可能となる。また更に、前部センターピラートリム１５とリブ上端面１９ｃとの間の段差を小さくすることができ、従ってカーテン膨張展開時に、カーテン部材２が該段差に引っ掛かるのを防止して、カーテン部材２を車室内に確実にガイドして膨張展開させることが可能となる。
【００４６】
更に上記実施形態では、各リブ１９の車室側端面１９ａは、挿入凹部１８の車室側側面１８ａの上端縁１８ｄよりも若干下側から下端縁に亘る範囲に接続されている。これにより、上述のように、ルーフトリム１３に各リブ１９に対応する切欠部１３ｃを設けた場合に、該切欠部１３ｃの上端部が車室側から見えるのを防止して美観を保つことができる。
【００４７】
また、上記実施形態では、リブ上端面１９ｃは車両外側から車室側に向かって下側に傾斜するように形成されている。これにより、カーテン膨張展開時に、カーテン部材２をジャンプ台上端面１４ａに沿って膨張させた後、更にリブ上端面１９ｃに沿って膨張させて車室内に確実に膨張展開させることができる。
【００４８】
また、上記実施形態では、ジャンプ台上端面１４ａとリブ上端面１９ｃとの間には段差が形成されておらず、ジャンプ台上端面１４ａ及びリブ上端面１９ｃ同士は連続的に繋がっている。このため、カーテン膨張展開時に、カーテン部材２が段差でバウンドしたりすることもない。従って、カーテン部材２を円滑に安定して車室内に膨張展開させることができる。
【００４９】
また、上記実施形態では、上記ルーフトリム１３の車両外側端部１３ｂの下端縁１３ｄは、図３に示すように、各リブ１９の上端面よりも下側に位置しており、ルーフトリム１３の車両外側端部１３ｂにおける各リブ１９に対応する部分には、該車両外側端部１３ｂと各リブ１９とが互いに干渉しないように上側に切欠かれた切欠部１３ｃがそれぞれ設けられている。このため、ルーフトリム１３の車両外側端部１３ｂを、切欠部１３ｃが無い場合に比べて車室側に容易に変位させることができる。すなわち、ルーフトリム１３の車両外側端部１３ｂを、上側に切欠くことで分割して互いに独立に変位可能な複数の分割部１３ｅ，１３ｆにより構成することができ、従って、カーテン膨張展開時には、各分割部１３ｅ，１３ｆそれぞれが前部センターピラートリム１５を乗り越えて車室側に変位する結果、ルーフトリム１３の車両外側端部１３ｂを、一枚物で構成した場合（切欠部１３ｃが無い場合）に比べて容易に車室側に変位させることができる。よって、ルーフトリム１３の車両外側端部１３ｂが前部センターピラートリム１５を乗り越える際に、該前部センターピラートリム１５に作用する押圧力を、上記切欠部１３ｃが無い場合に比べて低下させることができる。よって、カーテン膨張展開時における前部センターピラートリム１５の破損をより一層確実に防止することが可能となる。
【００５０】
（他の実施形態）
本発明の構成は、上記実施形態に限定されるものではなく、それ以外の種々の構成を包含するものである。すなわち、上記実施形態では、各リブ１９の車室側端面１９ａは、挿入凹部１８の車室側側面１８ａにおける上端縁１８ｄよりも若干下側から下端縁に亘る範囲に接続されているが、例えば車室側側面１８ａの上端縁１８ｄから下端縁に亘る範囲に接続するようにしてもよい。これにより、前部センターピラートリム１５とリブ上端面１９ｃとの間の段差を無くすことができ、従ってカーテン膨張展開時に、カーテン部材２が該段差に引っ掛かるのを防止して、該カーテン部材２を車室内に確実に膨張展開させることが可能となる。
【００５１】
また、上記実施形態では、リブ上端面１９ｃはジャンプ台上端面１４ａよりも大きい角度で傾斜しているが、これに限ったものではなく、例えばリブ上端面１９ｃを、ジャンプ台１４ａと同じ角度で傾斜させてもよい。そうすることによって、リブ上端面１９ｃ及びジャンプ台１４ａは互いに連続的に繋がって面一になり、その結果、カーテン膨張展開時に、カーテン部材２を、ジャンプ台上端面１４ａ及びリブ上端面１９ｃに沿って常に一定の方向に膨張展開させることができる。従って、カーテン部材２を円滑に安定して車室内に膨張展開させることができる。
【００５２】
また、上記実施形態では、挿入凹部１８は断面略台形状とされているが、これに限ったものではない。
【産業上の利用可能性】
【００５３】
本発明は、車両のウィンドを覆うようにカーテン部材を展開させるカーテンエアバッグ装置に有用であり、特に、ピラートリムと一体に形成され、展開時にカーテン部材を車室内へとガイドするジャンプ台と、ジャンプ台及びピラートリム間に設けられ、カーテン膨張展開前にルーフトリムの車両外側端部を挿入して保持しておくための挿入凹部とを備えたカーテンエアバッグ装置に有用である。
【図面の簡単な説明】
【００５４】
【図１】本発明の実施形態に係るカーテンエアバッグ装置をカーテン膨張展開前の状態において車室側から見た概略正面図である。
【図２】図１におけるII−II線での概略断面図である。
【図３】前部センターピラートリムを車室側の斜め上方から見た概略斜視図である。
【符号の説明】
【００５５】
１      カーテンエアバッグ装置
２      カーテン部材
８      フロントウィンド（ウィンド）
９      リヤウィンド（ウィンド）
１０    クォータウィンド（ウィンド）
１３    ルーフトリム
１３ａ  車両外側面（車両外側の面）
１３ｃ  切欠部
１３ｄ  下端縁
１４    ジャンプ台（ガイド部材）
１４ａ  ジャンプ台上端面（ガイド部材の上端面）
１５    前部センターピラートリム（ピラートリム，車室側側壁部）
１８    挿入凹部
１８ａ  車室側側面（挿入凹部における車室側の側面）
１８ｂ  車両外側側面（挿入凹部における車両外側の側面）
１９    リブ（接続部）
１９ａ  リブの車室側端面（接続部の車室側端）
１９ｃ  リブ上端面（接続部の上端面）
１００  車両
【図１】
2008018837.tif 000003
【図２】
2008018837.tif 000004
【図３】
2008018837.tif 000005